(57)【要約】      （修正有）【課題】虫を潰したり不快な後処理をせずに、簡単に捕獲と解放が可能な、虫捕獲器の提供。【解決手段】突起の無い平面な底部をもつ容器１の底面２に虫捕獲用の穴を空け、この虫捕獲穴３を虫５にかぶせて容器自体を手でスライドさせる事により、虫５が容器１の中に移動し、虫５を捕獲する事ができ、また、虫５を捕獲後、虫逃走防止用蓋４を虫捕獲穴３にかぶせる事で捕獲した虫が容器１から逃げられないようにする。【選択図】図３
2013042698.tif 000002
【特許請求の範囲】
【請求項１】
突起の無い平面な底部をもつ容器１の底面２に虫捕獲用の穴３を空け、この虫捕獲穴３を虫５にかぶせて容器自体を手でスライドさせる事により虫５が容器１の中に移動する事で虫を捕獲する方式の虫捕獲器。
【請求項２】
請求項１の虫捕獲器で虫５を捕獲後、虫５が逃げない様に、一辺を底面２に接着する事で１８０度可動可能な虫逃走防止用蓋４を有する、蓋付き虫捕獲器。
【請求項３】
請求項１の虫捕獲器で虫５を捕獲後、解放しやすくするための脱着式底面６を有する、底面脱着式虫捕獲器。
【発明の詳細な説明】
【技術分野】
【０００１】
本発明は、虫を潰したり不快な後処理をせずに、簡単に捕獲と解放が可能な、虫捕獲器に関する。
【背景技術】
【０００２】
従来、虫を捕獲する場合は、虫網やハエたたきや粘着剤や殺虫剤を使用していた。
【先行技術文献】
【特許文献】
【０００３】
【特許文献１】特許公開特許公開２００８−２２８３８
【発明の概要】
【発明が解決しようとする課題】
【０００４】
虫網で虫を捕獲する場合は壁に張り付いている虫の捕獲が困難であった。ハエたたきで叩いて虫を捕獲する場合は虫が潰れて体液で汚れてしまい、後始末も不快であった。粘着剤を使用する場合は後始末が不快であった。殺虫剤を使用する場合は空気が汚れて室内での利用では特に注意が必要であった。本発明は、この課題を解決するためになされたものである。
【課題を解決するための手段】
【０００５】
以上の課題を解決するために、請求項１記載の発明は、突起の無い平面な底部をもつ容器１の底面２に虫捕獲用の穴３を空け、この虫捕獲穴３を虫５にかぶせて容器自体を手でスライドさせる事により虫５が容器１の中に移動する事で虫を捕獲する方式の虫捕獲器である。
請求項２の発明は、請求項１の虫捕獲器で虫５を捕獲後、虫５が逃げない様に一辺を底面２に接着して１８０度可動可能な虫逃走防止用蓋４を有する、蓋付き虫捕獲器である。
請求項３の発明は、請求項１の虫捕獲器で虫５を捕獲後、解放しやすくするための脱着式底面６を有する、底面脱着式虫捕獲器である。
【発明の効果】
【０００６】
本発明により、虫を潰す事なく簡単に捕獲し、解放する事が可能になる。
【図面の簡単な説明】
【０００７】
【図１】四角形の底面を持つ、虫捕獲器の外観図である。
【図２】四角形の底面を持つ、蓋付き虫捕獲器の底面図である。
【図３】四角形の底面を持つ、蓋付き虫捕獲器の蓋が開いた状態を底面からみた外観図である。
【図４】四角形の底面を持つ、蓋付き虫捕獲器の蓋が閉じた状態を底面からみた外観図である。
【図５】円形の底面を持つ、虫捕獲器の外観図である。
【図６】四角形の底面を持つ、虫捕獲器で虫を捕獲中の図である。
【図７】底面を脱着し、虫を解放している図である。
【発明を実施するための形態】
【０００８】
本発明の請求項１の実施形態を図６で説明する。容器１の虫捕獲穴３を虫にかぶせ、容器１を手でスライドさせる事により虫が容器内へ移動するので、虫５を潰す事なく捕獲出来る。
本発明の請求項２の実施形態を図３及び図４で説明する。図３のように容器１で虫５を捕獲後に、図４のように蓋４を虫捕獲穴３にかぶせて捕獲した虫５が容器の外へ逃げられないようにする。
本発明の請求項３の実施形態を図７で説明する。虫５を捕獲後に脱着式底面６を容器１から取り外す事で容器の開口部が大きくなり、虫５が解放しやすくなる。
他の実施形態として、虫捕獲器の容器１の形状は、底面２が平面であれば、四角柱型、四角錘型、円柱型、半球型などでも良い。容器１の形状を変形した場合は、底面２の形状も容器１の形状に適合するように変形する必要がある。
【符号の説明】
【０００９】
１    容器
２    底面
３    虫捕獲穴
４    虫逃走防止用蓋
５    虫
６    脱着式底面
７    はめ合い凹部
８    はめ合い凸部
９    底面開閉用つまみ
【図１】
2013042698.tif 000003
【図２】
2013042698.tif 000004
【図３】
2013042698.tif 000005
【図４】
2013042698.tif 000006
【図５】
2013042698.tif 000007
【図６】
2013042698.tif 000008
【図７】
2013042698.tif 000009
【手続補正書】
【提出日】平成24年4月12日(2012.4.12)
【手続補正１】
【補正対象書類名】明細書
【補正対象項目名】全文
【補正方法】変更
【補正の内容】
【発明の詳細な説明】
【技術分野】
【０００１】
本発明は、虫を潰したり不快な後処理をせずに、簡単に捕獲と解放が可能な、虫捕獲器に関する。
【背景技術】
【０００２】
従来、虫を捕獲する場合は、虫網やハエたたきや粘着剤や殺虫剤を使用していた。
【先行技術文献】
【特許文献】
【０００３】
【特許文献１】特許公開特許公開２００８−２２８３８
【発明の概要】
【発明が解決しようとする課題】
【０００４】
虫網で虫を捕獲する場合は壁に張り付いている虫の捕獲が困難であった。ハエたたきで叩いて虫を捕獲する場合は虫が潰れて体液で汚れてしまい、後始末も不快であった。粘着剤を使用する場合は後始末が不快であった。殺虫剤を使用する場合は空気が汚れて室内での利用では特に注意が必要であった。本発明は、この課題を解決するためになされたものである。
【課題を解決するための手段】
【０００５】
以上の課題を解決するために、請求項１記載の発明は、突起の無い平面な底部をもつ容器１の底面２に虫捕獲用の穴３を空け、この虫捕獲穴３を虫５にかぶせて容器自体をスライドさせる事により虫５が容器１の中に移動する事で虫を捕獲する方式の虫捕獲器である。スライド動作の際は片手のみで虫捕獲が可能である
【発明の効果】
【０００６】
本発明により、虫を潰す事なく簡単に捕獲し、解放する事が可能になる。
【図面の簡単な説明】
【０００７】
【図１】四角形の底面を持つ、虫捕獲器の外観図である。
【図２】四角形の底面を持つ、蓋付き虫捕獲器の底面図である。
【図３】四角形の底面を持つ、蓋付き虫捕獲器の蓋が開いた状態を底面からみた外観図である。
【図４】四角形の底面を持つ、蓋付き虫捕獲器の蓋が閉じた状態を底面からみた外観図である。
【図５】円形の底面を持つ、虫捕獲器の外観図である。
【図６】四角形の底面を持つ、虫捕獲器で虫を捕獲中の図である。
【図７】底面を脱着し、虫を解放している図である。
【発明を実施するための形態】
【０００８】
本発明の請求項１の実施形態を図６で説明する。容器１の虫捕獲穴３を虫にかぶせ、容器１を手でスライドさせる事により虫が容器内へ移動するので、虫５を潰す事なく捕獲出来る。
他の実施形態として、虫捕獲器の容器１の形状は、底面２が平面であれば、四角柱型、四角錘型、円柱型、半球型などでも良い。容器１の形状を変形した場合は、底面２の形状も容器１の形状に適合するように変形する必要がある。
【符号の説明】
【０００９】
１    容器
２    底面
３    虫捕獲穴
４    虫逃走防止用蓋
５    虫
６    脱着式底面
７    はめ合い凹部
８    はめ合い凸部
９    底面開閉用つまみ
【手続補正２】
【補正対象書類名】特許請求の範囲
【補正対象項目名】全文
【補正方法】変更
【補正の内容】
【特許請求の範囲】
【請求項１】
突起の無い平面な底部をもつ容器１の底面２に虫捕獲用の穴３を空け、この虫捕獲穴３を虫５にかぶせて容器自体を手でスライドさせる事により虫５が容器１の中に移動する事で虫を捕獲する方式の虫捕獲器。